(57)【要約】【課題】トナー収容容器内の残存トナー量の推定精度を向上できるトナー補給装置および画像形成装置を提供する。【解決手段】トナー補給装置１は、トナー収容容器５と、検出部７と、判断部とを備える。トナー収容容器５は、現像装置に供給されるトナーを収容する。トナー収容容器５は、収容されたトナーのうちの一定量を排出できる。検出部７は、現像装置に供給されるトナー量を検出する。判断部は、トナー収容容器５から一定量のトナーが排出された後、一定量のトナーと同量のトナーが検出部７に検出されるまでの間におけるトナー収容容器５からトナーを排出する際の駆動量に基づいてトナー収容容器５に残存するトナーがなくなるタイミングを推定する。【選択図】図２
2019101265.tif 000002
【特許請求の範囲】
【請求項１】
現像装置に供給されるトナーを収容し、収容されたトナーのうちの一定量を排出できるトナー収容容器と、
前記現像装置に供給されるトナー量を検出する検出部と、
前記トナー収容容器から前記一定量のトナーが排出された後、前記一定量のトナーと同量のトナーが前記検出部に検出されるまでの間における前記トナー収容容器からトナーを排出する際の駆動量に基づいて前記トナー収容容器に残存するトナーがなくなるタイミングを推定する判断部と、を備える、トナー補給装置。
【請求項２】
前記駆動量は、前記トナー収容容器の累積回転数または累積回転時間である、請求項１に記載のトナー補給装置。
【請求項３】
現像装置に供給されるトナーを収容し、収容されたトナーのうちの一定量を排出できるトナー収容容器と、
前記現像装置にトナーを供給する供給部と、
前記現像装置に供給されるトナー量を検出する検出部と、
前記トナー収容容器から前記一定量のトナーが排出された後、前記一定量のトナーと同量のトナーが前記検出部に検出されるまでの間における前記供給部の駆動量に基づいて前記トナー収容容器に残存するトナーがなくなるタイミングを推定する判断部と、を備える、トナー補給装置。
【請求項４】
前記供給部は、前記トナー収容容器の下流に設けられる搬送スクリューであり、
前記駆動量は、前記搬送スクリューの累積回転数または累積回転時間である、請求項３に記載のトナー補給装置。
【請求項５】
前記トナー収容容器の内部には、前記一定量のトナーが収容される第１の収容部が設けられており、
前記判断部は、前記第１の収容部から前記一定量のトナーが排出された後、前記一定量のトナーと同量のトナーが前記検出部に検出されるまでの間における前記駆動量に基づいて、前記トナー収容容器に残存するトナーがなくなるタイミングを推定する、請求項１から請求項４のいずれか１項に記載のトナー補給装置。
【請求項６】
前記トナー収容容器の内部には、第２の収容部がさらに設けられており、
前記トナー収容容器が正転方向に回転することにより前記第１の収容部に収容されているトナーが排出され、
前記トナー収容容器が逆転方向に回転することにより前記第２の収容部に収容されているトナーが排出され、
前記判断部は、前記第１の収容部から前記一定量のトナーが排出された後、前記一定量のトナーと同量のトナーが前記検出部に検出されるまでの間における前記駆動量に基づいて、前記第２の収容部に収容されているトナーがなくなるタイミングを推定する、請求項５に記載のトナー補給装置。
【請求項７】
前記第１の収容部および前記第２の収容部は、筒状の前記トナー収容容器の軸方向に並んで設けられている、請求項６に記載のトナー補給装置。
【請求項８】
前記トナー収容容器の内壁は、螺旋状の形状を有する、請求項１から請求項７のいずれか１項に記載のトナー補給装置。
【請求項９】
前記トナー収容容器から排出されるトナーを貯留するトナー貯留部をさらに備え、
前記トナー貯留部は、前記一定量のトナーを貯留できる、請求項１から請求項８のいずれか１項に記載のトナー補給装置。
【請求項１０】
前記トナー収容容器は、前記トナー収容容器から前記一定量のトナーが前記トナー貯留部に排出された後、前記一定量のトナーと同量のトナーが前記検出部に検出されるまで前記トナー貯留部にトナーを排出しない、請求項９に記載のトナー補給装置。
【請求項１１】
請求項１から請求項１０のいずれか１項に記載されたトナー補給装置と、
前記トナー収容容器を収容する容器収容部と、を備える、画像形成装置。
【発明の詳細な説明】
【技術分野】
【０００１】
本発明は、トナー補給装置および画像形成装置に関する。
【背景技術】
【０００２】
トナー容器におけるトナー残量を算出する技術が、特開２００２−３４１６３６号公報（特許文献１）、特開２００８−３３１９７号公報（特許文献２）、特許第４４７４６７８号公報（特許文献３）に開示されている。
【先行技術文献】
【特許文献】
【０００３】
【特許文献１】特開２００２−３４１６３６号公報
【特許文献２】特開２００８−３３１９７号公報
【特許文献３】特許第４４７４６７８号公報
【発明の概要】
【発明が解決しようとする課題】
【０００４】
トナー収容容器の下流に位置する搬送スクリューの回転時間とトナー搬送量係数からトナー消費量が予測されて、トナー収容容器内の残存トナー量が算出されている。画像形成装置の使用環境、画像形成装置の使用条件、トナー収容容器の保管条件、トナーの生産条件、および部品精度等に起因して、実際のトナー消費量と予測トナー消費量との間にバラつきが生じる。その結果、実際の残存トナー量の正確な把握ができず、トナーニアエンプティの精度が低くなる。
【０００５】
本開示では、トナー収容容器内の残存トナー量の推定精度を向上できるトナー補給装置および画像形成装置が提供される。
【課題を解決するための手段】
【０００６】
このトナー補給装置は、トナー収容容器と、検出部と、判断部とを備える。上記トナー収容容器は、現像装置に供給されるトナーを収容する。上記トナー収容容器は、収容されたトナーのうちの一定量を排出できる。上記検出部は、上記現像装置に供給されるトナー量を検出する。上記判断部は、上記トナー収容容器から一定量のトナーが排出された後、一定量のトナーと同量のトナーが上記検出部に検出されるまでの間における上記トナー収容容器からトナーを排出する際の駆動量に基づいて上記トナー収容容器に残存するトナーがなくなるタイミングを推定する。
【０００７】
上記のトナー補給装置によると、トナー収容容器内の残存トナー量を精度よく推定することができる。
【０００８】
上記のトナー補給装置において、上記駆動量は、上記トナー収容容器の累積回転数または累積回転時間である。これにより、トナー収容容器内の残存トナー量を精度よく推定することができる。
【０００９】
このトナー補給装置は、トナー収容容器と、供給部と、検出部と、判断部とを備える。上記トナー収容容器は、現像装置に供給されるトナーを収容する。トナー収容容器は、収容されたトナーのうちの一定量を排出できる。上記供給部は、上記現像装置にトナーを供給する。上記検出部は、上記現像装置に供給されるトナー量を検出する。上記判断部は、上記トナー収容容器から一定量のトナーが排出された後、上記一定量のトナーと同量のトナーが上記検出部に検出されるまでの間における上記トナー収容容器からトナーを排出する際の駆動量に基づいて上記トナー収容容器に残存するトナーがなくなるタイミングを推定する。
【００１０】
上記のトナー補給装置によると、トナー収容容器内の残存トナー量を精度よく推定することができる。
【００１１】
上記のトナー補給装置において、上記供給部は、上記トナー収容容器の下流に設けられる搬送スクリューである。上記駆動量は、上記搬送スクリューの累積回転数または累積回転時間である。これにより、トナー収容容器内の残存トナー量を精度よく推定することができる。
【００１２】
上記のトナー補給装置において、上記トナー収容容器の内部には、一定量のトナーが収容される第１の収容部が設けられている。上記判断部は、上記第１の収容部から一定量のトナーが排出された後、上記一定量のトナーと同量のトナーが上記検出部に検出されるまでの間における上記駆動量に基づいて、上記トナー収容容器に残存するトナーがなくなるタイミングを推定する。これにより、トナー収容容器から一定量のトナーを排出するための別構成を設ける必要がなくなる。したがって、トナー補給装置を簡易な構成とすることができる。
【００１３】
上記のトナー補給装置において、上記トナー収容容器の内部には、第２の収容部がさらに設けられている。上記トナー収容容器が正転方向に回転することにより上記第１の収容部に収容されるトナーが排出される。上記トナー収容容器が逆転方向に回転することにより上記第２の収容部に収容されるトナーが排出される。上記判断部は、上記第１の収容部から上記一定量のトナーが排出された後、上記一定量のトナーと同量のトナーが上記検出部に検出されるまでの間における上記駆動量に基づいて、上記第２の収容部に収容されているトナーがなくなるタイミングを推定する。これにより、トナー収容容器から一定量のトナーを排出するための別構成を設ける必要がなくなる。したがって、トナー補給装置を簡易な構成とすることができる。
【００１４】
上記のトナー補給装置において、上記第１の収容部および上記第２の収容部は、筒状の上記トナー収容容器の軸方向に並んで設けられている。これにより、トナー収容容器から一定量のトナーを排出するための別構成を設ける必要がなくなる。したがって、トナー補給装置を簡易な構成とすることができる。
【００１５】
上記のトナー補給装置において、上記トナー収容容器の内壁は、螺旋状の形状を有する。これにより、製造コストを抑制することができる。
【００１６】
上記のトナー補給装置は、トナー貯留部をさらに備える。上記トナー貯留部は、上記トナー収容容器から排出されるトナーを貯留する。上記トナー貯留部は、上記一定量のトナーを貯留できる。これにより、トナー収容容器内の残存トナー量を精度よく推定することができる。
【００１７】
上記のトナー補給装置において、上記トナー収容容器は、上記トナー収容容器から一定量のトナーが上記トナー貯留部に排出された後、上記一定量のトナーと同量のトナーが上記検出部に検出されるまで、上記トナー貯留部にトナーを排出しない。これにより、トナー収容容器内の残存トナー量を精度よく推定することができる。
【００１８】
この画像形成装置は、上記のいずれかの局面のトナー補給装置と、上記トナー収容容器を収容する容器収容部とを備える。これにより、トナー収容容器内の残存トナー量を精度よく推定できる画像形成装置を実現できる。
【発明の効果】
【００１９】
本開示に従えば、トナー収容容器内の残存トナー量の推定精度を向上できるトナー補給装置および画像形成装置を実現することができる。
【図面の簡単な説明】
【００２０】
【図１】実施の形態１における画像形成装置を示す模式図である。
【図２】実施の形態１のトナー補給装置の概略断面図である。
【図３】図２に示すサブホッパ部の拡大斜視図である。
【図４】実施の形態１のトナー収容容器の概略斜視図である。
【図５】トナー補給装置の構成を示すブロック図である。
【図６】実施の形態３のトナー収容容器の概略図である。
【図７】図６に示すトナー収容容器の側面図である。
【発明を実施するための形態】
【００２１】
以下、図面に基づいて、各実施の形態におけるトナー補給装置および画像形成装置について説明する。以下に示す実施の形態において、同一または実質的に同一の構成については、同一の符号を付して、重複した説明は繰り返さない。以下で説明される実施の形態の各構成は、適宜選択的に組み合わされてもよい。
【００２２】
［実施の形態１］
（画像形成装置１００）
図１は、実施の形態１における画像形成装置１００を示す模式図である。画像形成装置１００は、画像形成部１０Ｙ，１０Ｍ，１０Ｃ，１０Ｋ、トナー補給装置１Ｙ，１Ｍ，１Ｃ，１Ｋ、中間転写ベルト１６、支持ローラー１７、２次転写ローラー１８、カセット１９、搬送ローラー２０、定着装置２１、媒体排出部２２、画像読取部２３を備えている。
【００２３】
トナー補給装置１は、各色に対応するトナー補給装置１Ｙ，１Ｍ，１Ｃ，１Ｋを含む。画像形成部１０は、各色に対応する画像形成部１０Ｙ，１０Ｍ，１０Ｃ，１０Ｋを含む。画像形成部１０Ｙ，１０Ｍ，１０Ｃ，１０Ｋの各々は、感光体１１、帯電装置１２、露光装置１３、現像装置１４、１次転写ローラー１５を有している。
【００２４】
感光体１１の表面は、帯電装置１２によって一様に帯電される。露光装置１３は、図示しない制御部によって制御され、画像読取部２３からの画像情報または装置外部から受信した画像情報に基づき感光体１１の表面を露光する。感光体１１の表面には静電潜像が形成される。現像装置１４が静電潜像を現像することによって、感光体１１の表面には画像情報に対応するトナー像が形成される（現像過程）。
【００２５】
現像装置１４内のトナーが少なくなると、現像装置１４は、各現像装置１４に対応するトナー補給装置１にトナーの補給を要求する。現像装置１４内のトナー消費量に応じて、トナー補給装置１は、現像装置１４にトナーを補給する。
【００２６】
感光体１１の表面に形成されるトナー像は、感光体１１と１次転写ローラー１５との間の１次転写部において、１次転写ローラー１５から付与される電界により、中間転写ベルト１６上に転写される（１次転写過程）。中間転写ベルト１６は、複数の支持ローラー１７によって張架されており、駆動力を受けて走行する。画像形成部１０Ｙ，１０Ｍ，１０Ｃ，１０Ｋの各々によって形成されたトナー像は、中間転写ベルト１６上で重ね合わされる。支持ローラー１７（中間転写ベルト１６）と２次転写ローラー１８との間に２次転写部が形成される。
【００２７】
搬送ローラー２０は、記録媒体搬送経路を形成している。カセット１９内に収容された記録媒体Ｍは、この記録媒体搬送経路を通して２次転写部に送り出される。中間転写ベルト１６上のトナー像は、２次転写部において、２次転写ローラー１８から付与される電界により、記録媒体Ｍ上に転写される（２次転写過程）。記録媒体Ｍ上のトナー像は、定着装置２１によって加熱および加圧され、記録媒体Ｍ上に定着する（定着過程）。その後、記録媒体Ｍは媒体排出部２２に排出される。
【００２８】
画像形成装置１００は、制御部２４をさらに備える。制御部２４は、上記で説明した現像過程から定着過程までの中において、画像形成部１０、および定着装置２１等を制御する。
【００２９】
（トナー補給装置１）
図２は、実施の形態１のトナー補給装置１の概略断面図である。図３は、図２に示すサブホッパ部３０の拡大斜視図である。図２および図３を用いて、トナー補給装置１について説明する。トナー補給装置１は、容器収容部９、トナー収容容器５、およびサブホッパ部３０を有する。
【００３０】
容器収容部９は、トナー収容容器５を収容する。容器収容部９は、排出部９ａを有する。トナー収容容器５に充填されているトナーは、排出部９ａから排出される。トナー収容容器５は、容器収容部９に設置される。トナー収容容器５は、容器収容部９から着脱可能である。
【００３１】
トナー収容容器５が容器収容部９に設置されると、図示しないトナー封止部材が設置動作に合わせて移動する。トナー封止部材が移動することにより、排出部９ａが解放される。これにより、トナー収容容器５内に収容されていたトナーが、排出部９ａからサブホッパ部３０に排出される（図２および図３中白抜き矢印）。
【００３２】
（サブホッパ部３０）
サブホッパ部３０は、トナー収容容器５の下流に設けられている。サブホッパ部３０は、トナー収容容器５と現像装置１４との間に設けられている。トナー収容容器５からサブホッパ部３０に排出されたトナーは、サブホッパ部３０内に貯留される。サブホッパ部３０内に貯留されたトナーは、現像装置１４からの要求に応じて現像装置１４に供給される。サブホッパ部３０は、トナー貯留部８、撹拌部２、カム部３、検出部７、および供給部６を含む。
【００３３】
トナー貯留部８は、トナー収容容器５から排出されたトナーを貯留する。トナー貯留部８の最大積載容積は予め定められている。トナー貯留部８の最大積載容積から、トナー貯留部８の最大収容トナー量（以下、最大収容量）がわかる。トナー貯留部８には、一定量（最大収容量）のトナーを収容できる。トナー貯留部８内には、撹拌部２、カム部３、検出部７および供給部６が配置されている。
【００３４】
撹拌部２は、トナー収容容器５から排出されたトナーを、供給部６に向けて供給する。撹拌部２は、貯留されたトナーを撹拌しトナーの凝集を防止する。これにより、撹拌部２は、安定したトナー貯留状態を確保する。
【００３５】
供給部６は、トナー貯留部８の下方に位置している。供給部６は、搬送スクリュー６ａおよび搬送管６ｂを有する。搬送管６ｂは、搬送スクリュー６ａを覆っている。搬送スクリュー６ａは、現像装置１４からのトナー補給要求に合わせて、トナー貯留部８に貯留したトナーを現像装置１４に供給する。
【００３６】
カム部３は、撹拌部２の動作と連動する。カム部３は、回転する軸に取付けられている。カム部３の外周には、軸の回転角度に対応した曲面が形成されている。
【００３７】
検出部７は、検出部材７ａおよび検出センサ７ｂを含む。検出部材７ａは、軸を中心に円弧上を移動可能な構成となっている。検出部材７ａは、トナー貯留部８にトナーの液面上に配置されている。
【００３８】
トナー貯留部８に貯留されているトナー量が最大収容量の場合、検出部材７ａは、回転するカム部３よりも常に上に位置することになる。そのため、カム部３が回転しても検出部材７ａおよびカム部３は接触しない。検出部材７ａおよびカム部３が接触しないとき、検出センサ７ｂは、トナー貯留部８に貯留されているトナー量が最大収容量であることを検出する。
【００３９】
トナー貯留部８に貯留されているトナー量が最大収容量に満たない場合、検出部材７ａは、回転するカム部３と接触することになる。これにより、検出部材７ａは、上下に搖動する。検出部材７ａの上下搖動を検出することによって、検出センサ７ｂは、トナー貯留部８に貯留されているトナー量を検出できる。検出部材７ａの上下搖動の幅が大きい場合は、検出部材７ａの上下搖動の幅が小さい場合と比較して、トナー貯留部８に貯留されているトナー量は少ない。
【００４０】
（トナー収容容器５）
図４は、実施の形態１のトナー収容容器５の概略斜視図である。トナー収容容器５は、ブロー成形により製造される。トナー収容容器５は、現像装置１４に供給されるトナーを収容する。トナー収容容器５は、円筒状の形状を有する。トナー収容容器５は、仕切り部５ａおよび排出口５ｂが設けられている。実施の形態１の排出口５ｂは、トナー収容容器５の端部に設けられている。
【００４１】
仕切り部５ａは、トナー収容容器５の軸方向ＤＲ３に延びている。仕切り部５ａは、トナー収容容器５の内部に設けられている。トナー収容容器５の内部には、第１の収容部３１および第２の収容部３２が設けられる。トナー収容容器５の内部は、仕切り部５ａによって第１の収容部３１および第２の収容部３２に分割されている。第１の収容部３１および第２の収容部３２の容積はほぼ同じである。第１の収容部３１および第２の収容部３２には、一定量のトナーが収容されている。
【００４２】
トナー収容容器５の内壁には、螺旋状の凹凸が設けられている。第１の収容部３１の内壁には、凸部からなる螺旋状の第１の螺旋部３１ａが設けられている。第２の収容部３２の内壁には、凸部からなる螺旋状の第２の螺旋部３２ａが設けられている。第２の螺旋部３２ａの巻き方向は、第１の螺旋部３１ａの巻き方向と逆向きである。
【００４３】
トナー収容容器５は、図示しない駆動部により回転させられる。図４中のＤＲ１方向は、トナー収容容器５の正転方向である。正転方向は、排出口５ｂが設けられている側のトナー収容容器５の端部から見て、トナー収容容器５が時計回りに回転する方向である。図４中のＤＲ２方向は、トナー収容容器５の逆転方向である。逆転方向は、排出口５ｂが設けられている側のトナー収容容器５の端部から見て、トナー収容容器５が反時計回りに回転する方向である。
【００４４】
トナー収容容器５が正転方向ＤＲ１に回転することにより、第１の螺旋部３１ａは、第１の収容部３１に収容されているトナーを排出口５ｂに近づける方向に搬送する。これにより、第１の収容部３１に収容されているトナーが排出口５ｂから排出される。
【００４５】
一方、トナー収容容器５が正転方向ＤＲ１に回転するとき、第２の螺旋部３２ａの巻き方向が第１の螺旋部３１ａの巻き方向と逆向きであることから、第２の螺旋部３２ａは、第２の収容部３２に収容されているトナーを排出口５ｂから離れる方向に搬送する。トナー収容容器５が正転方向ＤＲ１に回転するとき、第２の収容部３２に収容されているトナーは、排出口５ｂから排出されない。
【００４６】
第１の収容部３１内のトナーが排出されて空になった場合、現像装置１４に要求によりトナーを補充するときは、トナー収容容器５が逆転方向ＤＲ２に回転する。トナー収容容器５が逆転方向ＤＲ２に回転することにより、第２の螺旋部３２ａは、第２の収容部３２に収容されているトナーを排出口５ｂに近づく方向に搬送する。これにより、第２の収容部３２に収容されているトナーが排出口５ｂから排出される。
【００４７】
実施の形態のトナー収容容器５は、第１の螺旋部３１ａおよび第２の螺旋部３２ａによりトナーを搬送する構成であるため、トナーを搬送する力（トナー移動力）は比較的小さい。そのため、第２の収容部３２に収容されているトナーが、排出口５ｂが設けられている側と反対側のトナー収容容器５の端部に押圧され、トナーが固まること（パッキング）を抑制することができる。さらに、上記構成とすることで、別途、トナー収容容器５内のトナーを搬送する機構を必要としないため、製造コストを抑制することができる。
【００４８】
（判断部３３）
図５は、トナー補給装置１の構成を示すブロック図である。トナー補給装置１は、回転検出部３６、メモリー部３４、発信部３５、および判断部３３をさらに備える。回転検出部３６は、搬送スクリュー６ａおよびトナー収容容器５の回転数および回転時間を検出する。回転検出部３６は、搬送スクリュー６ａおよびトナー収容容器５の回転数および回転時間を累積してカウントすることができる。
【００４９】
メモリー部３４には、第１の収容部３１および第２の収容部３２に収容されている一定量のトナー量に関するデーターが格納されている。メモリー部３４には、トナー収容容器５に収容されているトナー量に関するデーターが格納されている。メモリー部３４には、トナー貯留部８の最大収容量に関するデーターが格納されている。
【００５０】
判断部３３は、検出センサ７ｂが検出したトナー量の情報を基に、トナー収容容器５からのトナー排出の動作または停止を決定する。発信部３５は、判断部３３からの指令に基づいて、トナーニアエンプティ状態（トナー収容容器５に収容されているトナー量が所定量以下である状態）およびトナーエンプティ状態（トナー収容容器５に収容されている使用可能なトナー量がゼロである状態）であることを発信する。
【００５１】
（トナー収容容器５の残存トナー量推定方法）
トナー貯留部８は、最大収容量のトナーが貯留されている状態に保たれている。現像装置１４内のトナーが消費されると、現像装置１４は、その消費量に応じてトナー補給装置１にトナーの補充を要求する。現像装置１４からのトナー補充要求に従って、搬送スクリュー６ａは、トナー貯留部８に貯留しているトナーを現像装置１４へ補給する。回転検出部３６は、トナー収容容器５および搬送スクリュー６ａの回転数および回転時間を累積カウントする。
【００５２】
現像装置１４にトナーを補給することにより、トナー貯留部８に貯留しているトナー量が減少するため、トナー貯留部８に貯留されているトナーの液面が降下し、検出部材７ａおよびカム部３が接触する。検出部材７ａおよびカム部３が接触することにより、検出センサ７ｂは、トナー貯留部８のトナー量が最大収容量と比較して減少していることを検出する。
【００５３】
検出センサ７ｂがトナー貯留部８のトナー量の減少を検出することにより、判断部３３がトナー収容容器５を正転方向ＤＲ１に正転駆動させる。判断部３３は、トナー貯留部８のトナー量が最大収容量になるまで（検出センサ７ｂがトナー貯留部８に貯留されているトナー量が最大収容量であることを検出するまで）、第１の収容部３１からトナーを排出させる。検出センサ７ｂがトナー貯留部８に貯留されているトナー量が最大収容量であることを検出した場合、判断部３３は、トナー収容容器５の回転を停止させる。このようにして、トナー貯留部８は、最大収容量のトナーが貯留されている状態が保たれる。
【００５４】
トナー収容容器５を正転駆動させても、検出センサ７ｂがトナー貯留部８のトナー量の増加を検出しない場合、判断部３３は、第１の収容部３１に収容されている使用可能なトナーがゼロになったと判断する。
【００５５】
判断部３３が第１の収容部３１に収容されている使用可能なトナーがゼロとなったと判断すると、判断部３３は、トナー収容容器５を逆転方向ＤＲ２に回転させる。これにより、第２の収容部３２からトナー貯留部８にトナーが補給される。第２の収容部３２からトナーを排出する場合においても同様の流れで、トナー貯留部８に最大収容量のトナーが貯留されている状態が保たれる。
【００５６】
上記のように、トナー貯留部８に貯留されているトナーが現像装置１４に供給されるとトナー収容容器５からトナー貯留部８にトナーが補充される。このように、現像装置１４へのトナーの供給と、トナー収容容器５からのトナーの補充を繰り返していく中で、検出センサ７ｂは、トナー貯留部８に貯留されているトナー量と同時に、現像装置１４に供給されるトナー量を検出する。
【００５７】
前述したように、第１の収容部３１には、既知の一定量のトナーが収容されている。トナー収容容器５に第１の収容部３１を設けることにより、トナー収容容器５は、収容されたトナーのうちの一定量を排出できる。
【００５８】
回転検出部３６は、トナー収容容器５（第１の収容部３１）から一定量のトナーが排出された後、上記一定量のトナーと同量のトナーが現像装置１４に供給されることを検出センサ７ｂに検出されるまでの間における駆動量を検出する。駆動量は、トナー収容容器５からトナーを排出する際に使用した機構の駆動量であり、実施の形態１のトナー補給装置１においては、トナー収容容器５の駆動量である。トナー収容容器５の駆動量とは、トナー収容容器５の累積回転数または累積回転時間である。
【００５９】
判断部３３は、回転検出部３６が検出した上記トナー収容容器５の駆動量のデーター、およびメモリー部３４に格納された第１の収容部３１に収容されている一定量のトナー量に関するデーターに基づいて、現像装置１４が消費するトナー量に対するトナー収容容器５の駆動量を算出する。判断部３３は、記録媒体に画像形成する際に消費されるトナー量に対するトナー収容容器５の駆動量を算出する。
【００６０】
判断部３３は、上記算出した駆動量のデーター、およびメモリー部３４に格納された第２の収容部３２に収容されている一定量のトナー量に関するデーターに基づき、第２の収容部３２に収容されている（トナー収容容器５に残存する）トナーが消費されてなくなるまでのトナー収容容器５の駆動量を算出する。これにより、あとどの程度の回転数または回転時間で第２の収容部３２内の使用可能なトナーがゼロになるかを推定できる。
【００６１】
第１の収容部３１および第２の収容部３２の内壁の螺旋形状は、螺旋の巻き方向は異なるが、螺旋のピッチ、形状、および個数等は、ほぼ同じである。さらに、上述したようにトナー収容容器５内のトナー移動力は小さく、パッキングを発生させにくい。
【００６２】
したがって、トナー収容容器５が一方向に回転を続けた場合、第１の収容部３１および第２の収容部３２からのトナー排出状態の変化は小さい。そのため、正転駆動時のデーター（現像装置１４が消費するトナー消費量に対する搬送スクリュー６ａの駆動量）を逆転駆動時にも用いることができる。
【００６３】
なお、正転駆動から逆転駆動に切り替える際に、排出口５ｂが設けられている側と反対側の第２の収容部３２の端部に貯まっているトナーが排出口５ｂまでにたどりつくまでの駆動時間を追加で設けることにより、安定したトナー排出状態を確保することができる。
【００６４】
上記のようにして、第１の収容部３１に収容されている一定量のトナー補給データーからトナー収容容器５（第２の収容部３２）に残存するトナーがなくなるタイミング（トナー収容容器５内の残存トナー量）を推定する。これにより、トナー収容容器５内の残存トナー量を精度よく推定することができる。
【００６５】
判断部３３は、トナー収容容器５内の残存トナー量が所定量以下になると、発信部３５に、トナー収容容器５がトナーニアエンプティ状態であることを発信させることができる。この構成を用いて、交換用のトナー収容容器５をユーザーの下へ自動配送するシステムを用いる場合がある。このシステムにおいて、トナーニアエンプティ状態の発信が遅くなった場合には、ユーザーへの交換用のトナー収容容器の到着が間に合わず画像形成装置が使用不可状態となる可能性がある。
【００６６】
一方、トナーニアエンプティ状態の発信が早すぎた場合には、トナー収容容器内に十分にトナーが残っているにも関わらずトナー収容容器を新品と交換する可能性、およびユーザー先でのトナー収容容器の保管スペースが必要となる可能性がある。そのため、トナー収容容器の自動配送システムを有効に運用するためにはトナー収容容器内の残存トナー量を精度よく推定することが必要である。
【００６７】
実施の形態１のトナー補給装置１において、第１の収容部３１に収容されたトナーが実際に消費されたときのデーターを基にトナー収容容器５の残存トナー量が推定されるため、トナー収容容器５の残存トナー量を高精度に推定することができる。
【００６８】
さらに、第１の収容部３１（トナー収容容器５）の部品寸法、トナー収容容器５の保管条件、トナーの生産条件、および第１の収容部３１の使用環境（画像形成装置の使用条件、温度および湿度等）と、第２の収容部３２のそれらと、がほぼ同一の場合、トナー収容容器５内の残存トナー量をより高精度に推定することができる。
【００６９】
さらに、トナー収容容器５が空になった後、交換後のトナー収容容器５において残存トナー量を推定できるだけではなく、交換したばかりの（または現在使用している）トナー収容容器５であってもトナー収容容器５の残存トナー量を高精度に推定することができる。
【００７０】
トナー収容容器５に第１の収容部３１および第２の収容部３２を設けることにより、トナー収容容器５から一定量のトナーを排出するための別構成を設ける必要がなくなる。これにより、トナー補給装置１を簡易な構成とすることができる。
【００７１】
［実施の形態２］
実施の形態２のトナー補給装置１において、回転検出部３６は、トナー収容容器５（第１の収容部３１）から一定量のトナーが排出された後、上記一定量のトナーと同量のトナーが現像装置１４に供給されることを検出センサ７ｂに検出されるまでの間における供給部６（搬送スクリュー６ａ）の駆動量を検出する。搬送スクリュー６ａの駆動量は、搬送スクリュー６ａの累積回転数または累積回転時間である。
【００７２】
トナー収容容器５の内壁に設けられている螺旋部のピッチよりも搬送スクリュー６ａのピッチの方が小さい。そのため、搬送スクリュー６ａにより駆動量を算出する方が、トナー収容容器５内の残存トナー量推定精度をよりよくすることができる。
【００７３】
［実施の形態３］
図６は、実施の形態３のトナー収容容器５の概略図である。図７は、図６に示すトナー収容容器５の側面図である。実施の形態３のトナー収容容器５において、排出口５ｂは、軸方向ＤＲ３において、第１の収容部３１および第２の収容部３２の間に設けられている。第１の収容部３１および第２の収容部３２は、トナー収容容器５の軸方向ＤＲ３に並んで設けられている。仕切り部５ａは、第１の収容部３１および第２の収容部３２の間に設けられている。第１の収容部３１および第２の収容部３２は、一定量のトナーを収容している。
【００７４】
実施の形態３のトナー収容容器５においても、第１の収容部３１に収容されている一定量のトナー補給データーからトナー収容容器５（第２の収容部３２）に残存するトナーがなくなるタイミング（トナー収容容器５内の残存トナー量）を推定する。
【００７５】
実施の形態３のトナー収容容器５においても、実施の形態１のトナー収容容器５を備えるトナー補給装置１と同様に、トナー収容容器５内の残存トナー量を精度よく推定する効果が得られる。
【００７６】
［実施の形態４］
トナー収容容器５の構成が、仕切り部５ａによって内部が区切られておらず、収容されたトナーのうちの一定量のトナーをトナー収容容器５だけでは排出できない場合でも、実施の形態４のトナー収容容器５は、トナー貯留部８を用いることにより一定量のトナーを排出することができる。実施の形態４のトナー収容容器５内の残存トナー量予測方法を以下において説明する。
【００７７】
トナー貯留部８に貯留されている使用可能なトナー量がゼロとなった場合、検出センサ７ｂが、使用可能なトナー量がゼロであることを検出する。判断部３３は、発信部３５にトナーエンプティ状態であることを発信させ、トナー収容容器５の交換が促される。発信部３５の指示に従って新品のトナー収容容器５を容器収容部９に設置すると、トナー収容容器５に正転駆動がかかり、トナー収容容器５からトナー貯留部８にトナーが排出される。これにより、トナー収容容器５からトナー貯留部８にトナーが補給される。
【００７８】
判断部３３は、トナー貯留部８に貯留されるトナー量が最大収容量と等しくなるまで、トナー収容容器５からトナーを補充させる。トナー貯留部８の最大収容量は既知の値であるため、トナー貯留部８を用いることでトナー収容容器５は、（最大収容量と等しい）一定量のトナーを排出することができる。これにより、トナー貯留部８は、一定量のトナーを貯留できる。
【００７９】
実施の形態１から実施の形態３のトナー補給装置１と同様に、現像装置１４のトナー補充要求にしたがって、搬送スクリュー６ａは、トナー貯留部８に貯留されているトナーを現像装置１４に供給するが、検出センサ７ｂが再びトナー貯留部８に貯留されている使用可能なトナー量がゼロであることを検出するまで、トナー収容容器５からは、トナー貯留部８にトナーが排出されない。
【００８０】
トナー収容容器５から（最大収容量と等しい）一定量のトナーがトナー貯留部８に排出された後、最大収容量のトナーと同量のトナーが現像装置１４に供給されたことを検出センサ７ｂが検出するまで、トナー収容容器５は、トナー貯留部８にトナーを排出しない。
【００８１】
回転検出部３６は、トナー収容容器５から（最大収容量と等しい）一定量のトナーがトナー貯留部８に排出された後、検出センサ７ｂが再び、トナー貯留部８に貯留されている使用可能なトナー量がゼロであることを検出するまでの間における搬送スクリュー６ａの駆動量を検出する。
【００８２】
判断部３３は、上記の回転検出部３６が検出した駆動量のデーター、およびメモリー部３４に格納されたトナー貯留部８の最大収容量に関するデーターに基づいて、現像装置１４が消費するトナー消費量に対する搬送スクリュー６ａの駆動量を算出する。
【００８３】
判断部３３は、上記算出したデーター、メモリー部３４に格納されたトナー収容容器５に収容されている一定量のトナー量に関するデーター、およびトナー貯留部８の最大収容量に関するデーターに基づき、トナー収容容器５に残存するトナーが消費されるのに必要とされる搬送スクリュー６ａの累積回転数または累積回転時間を算出する。
【００８４】
実施の形態４のトナー収容容器５において、トナー貯留部８を用いてトナー収容容器５内の残存トナー量を推定する構成とすることにより、トナー収容容器５内の残存トナー量をより精度よく推定する効果が得られる。
【００８５】
なお、実施の形態において、トナー収容容器５からトナーを排出させる機構としてトナー収容容器５を回転させて、内壁の螺旋部により内部のトナーを移動させる構成としているが、トナー収容容器５内のトナーを搬送する別機構があってもよい。この場合、回転検出部３６は、駆動量として、当該別機構の駆動量を検出する構成としてもよい。
【００８６】
なお、実施の形態において、回転検出部３６、メモリー部３４、発信部３５、および判断部３３は、トナー補給装置１に含まれている構成としたが、制御部２４に含まれている構成としてもよい。
【００８７】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【００８８】
１，１Ｃ，１Ｋ，１Ｍ，１Ｙ  トナー補給装置、２  撹拌部、３  カム部、５  トナー収容容器、５ａ  仕切り部、５ｂ  排出口、６  供給部、６ａ  搬送スクリュー、６ｂ  搬送管、７  検出部、７ａ  検出部材、７ｂ  検出センサ、８  トナー貯留部、９  容器収容部、９ａ  排出部、１０Ｃ，１０Ｋ，１０Ｍ，１０Ｙ  画像形成部、１１  感光体、１２  帯電装置、１３  露光装置、１４  現像装置、１６  中間転写ベルト、１７  支持ローラー、１９  カセット、２０  搬送ローラー、２１  定着装置、２２  媒体排出部、２３  画像読取部、２４  制御部、３０  サブホッパ部、３１  第１の収容部、３１ａ  第１の螺旋部、３２  第２の収容部、３２ａ  第１の螺旋部、３３  判断部、３４  メモリー部、３５  発信部、３６  回転検出部、１００  画像形成装置、ＤＲ１  正転方向、ＤＲ２  逆転方向、ＤＲ３  軸方向、Ｍ  記録媒体。
【図１】
2019101265.tif 000003
【図２】
2019101265.tif 000004
【図３】
2019101265.tif 000005
【図４】
2019101265.tif 000006
【図５】
2019101265.tif 000007
【図６】
2019101265.tif 000008
【図７】
2019101265.tif 000009